(57)【要約】【課題】直流駆動信号用の電源と発振信号用の電源との共通化により不要輻射の改善を図りつつ直流駆動信号に対する発振信号の重畳量を制御することができる技術を提供する。【解決手段】レーザダイオード２０には、インダクタＬ２およびインダクタＬ３を介して、電源３０から直流駆動信号が供給される。そして、発振回路１２から出力される発振信号は、電源３０から供給される直流駆動信号に重畳されてレーザダイオード２０に供給される。こうして、直流駆動信号に発振信号を重畳したレーザ駆動信号がレーザダイオード２０に供給され、レーザダイオード２０がマルチモードで動作する。また、制御信号Ｖctlによって、発振用トランジスタＴｒのベース電流を制御して発振信号のパワーを変化させ、直流駆動信号に対する発振信号の重畳量を制御することができる。【選択図】図１
2006139876.tif 000002
【特許請求の範囲】
【請求項１】
電源に接続されて所定の基本周波数の発振信号を生成する発振回路を有し、前記電源から供給される直流駆動信号に前記発振信号を重畳したレーザ駆動信号を出力するレーザ駆動装置であって、
外部からの制御信号に応じて前記発振回路で生成される発振信号のパワーを変化させることにより、前記直流駆動信号に対する前記発振信号の重畳量を制御する、
ことを特徴とするレーザ駆動装置。
【請求項２】
請求項１に記載のレーザ駆動装置において、
前記発振回路は、発振用トランジスタを含み、前記制御信号に応じて発振用トランジスタのベース電流が制御されて前記発振信号のパワーを変化させる、
ことを特徴とするレーザ駆動装置。
【請求項３】
第一電源に接続されて第一発振信号を生成する第一発振回路と、
第二電源に接続されて第二発振信号を生成する第二発振回路と、
を有するレーザ駆動装置であって、
前記第一電源から供給される直流駆動信号に前記第一発振信号を重畳した第一レーザ駆動信号、および、前記第二電源から供給される直流駆動信号に前記第二発振信号を重畳した第二レーザ駆動信号、のうちの少なくとも一方を出力し、
前記第一レーザ駆動信号を出力する場合に、外部からの制御信号に応じて前記第一発振回路を制御することにより前記第一発振信号のパワーを変化させて直流駆動信号に対する前記第一発振信号の重畳量を制御し、
前記第二レーザ駆動信号を出力する場合に、外部からの制御信号に応じて前記第二発振回路を制御することにより前記第二発振信号のパワーを変化させて直流駆動信号に対する前記第二発振信号の重畳量を制御する、
ことを特徴とする二波長レーザ用のレーザ駆動装置。
【請求項４】
請求項１または２に記載のレーザ駆動装置と、
前記レーザ駆動装置から出力されるレーザ駆動信号によって発光するレーザダイオードと、
を備え、
前記制御信号に応じて、前記発振信号を重畳したレーザ駆動信号によるマルチモード、および、実質的に前記直流駆動信号のみのレーザ駆動信号によるシングルモード、の二つのモードを切り替えてレーザダイオードを発光させる、
ことを特徴とする光ディスク用光源装置。
【請求項５】
請求項３に記載のレーザ駆動装置と、
前記レーザ駆動装置から出力される第一レーザ駆動信号により発光する第一レーザダイオードと、
前記レーザ駆動装置から出力される第二レーザ駆動信号により発光する第二レーザダイオードと、
を備え、
前記制御信号に応じて、前記第一発振信号を重畳した第一レーザ駆動信号によるマルチモード、および、実質的に前記直流駆動信号のみの第一レーザ駆動信号によるシングルモード、の二つのモードを切り替えて第一レーザダイオードを発光させ、
前記制御信号に応じて、前記第二発振信号を重畳した第二レーザ駆動信号によるマルチモード、および、実質的に前記直流駆動信号のみの第二レーザ駆動信号によるシングルモード、の二つのモードを切り替えて第二レーザダイオードを発光させる、
ことを特徴とする二波長レーザ用の光ディスク用光源装置。
【発明の詳細な説明】
【技術分野】
【０００１】
本発明は、直流駆動信号に発振信号を重畳したレーザ駆動信号を出力するレーザ駆動装置および光ディスク用光源装置に関する。
【背景技術】
【０００２】
光ディスクに書き込まれたピットやランドの読み取りを行う際に、レーザダイオード（ＬＤ）に２００ＭＨｚ〜７００ＭＨｚ程度の高周波が重畳された電圧を印加することによってＬＤを擬似的なマルチモードで動作させる技術が用いられている。これによって、光ディスクからのデータの読み取りを安定させることができる。一般に、マルチモードは、高周波の発振信号を生成し、それを直流駆動信号に重畳してＬＤに供給することによって実現される。
【０００３】
マルチモードを実現するために、従来より、直流駆動信号を供給する電源と、発振信号を生成する発振回路の電源とを別々に設ける技術が知られていた。ところが、電源を別々にすると、それぞれの電源ラインを引き回す必要がある。余分な配線スペースを伴うことは、装置の小型化にとって好ましい設計とは言えず、また、配線を引き回すことにより不要輻射の増大も懸念される。
【０００４】
このため、直流駆動信号を供給する電源と、発振信号を生成する発振回路の電源とを共通の電源とする技術が提案されている（下記特許文献参照）。
【０００５】
【特許文献１】特開２００３−９９９７２号公報
【特許文献２】特開２００４−２５３４４４号公報
【発明の開示】
【発明が解決しようとする課題】
【０００６】
光ディスク用光源装置において、発振信号が重畳されたマルチモードと、発振信号を重畳させずに（あるいは発振信号の出力を低減させて）直流駆動信号によってＬＤを駆動させるシングルモードと、二つのモードを切り替えて利用する装置が知られている。
【０００７】
直流駆動信号を供給する電源と、発振信号を生成する発振回路の電源とを別々に設ける場合、二つの電源を共に作動させることによりマルチモードが実現され、また、発振回路の電源のみを非作動とすることでシングルモードが実現できる。
【０００８】
ところが、直流駆動信号を供給する電源と、発振信号を生成する発振回路の電源とを共通の電源とする場合（上記特許文献参照）、電源の作動、非作動の切り替えによってマルチモードとシングルモードを切り替えることができない。
【０００９】
本発明は、上記従来技術の問題点に鑑みて成されたものであり、その目的は、直流駆動信号用の電源と発振信号用の電源との共通化を図りつつ、直流駆動信号に対する発振信号の重畳量を制御することができる技術を提供することにある。
【課題を解決するための手段】
【００１０】
上記目的を達成するために、本発明の好適な態様であるレーザ駆動装置は、電源に接続されて所定の基本周波数の発振信号を生成する発振回路を有し、前記電源から供給される直流駆動信号に前記発振信号を重畳したレーザ駆動信号を出力するレーザ駆動装置であって、外部からの制御信号に応じて前記発振回路で生成される発振信号のパワーを変化させることにより、前記直流駆動信号に対する前記発振信号の重畳量を制御する、ことを特徴とする。
【００１１】
望ましくは、前記発振回路は、発振用トランジスタを含み、前記制御信号に応じて発振用トランジスタのベース電流が制御されて前記発振信号のパワーを変化させる、ことを特徴とする。
【００１２】
また、上記目的を達成するために、本発明の好適な態様であるレーザ駆動装置は、第一電源に接続されて第一発振信号を生成する第一発振回路と、第二電源に接続されて第二発振信号を生成する第二発振回路と、を有するレーザ駆動装置であって、前記第一電源から供給される直流駆動信号に前記第一発振信号を重畳した第一レーザ駆動信号、および、前記第二電源から供給される直流駆動信号に前記第二発振信号を重畳した第二レーザ駆動信号、のうちの少なくとも一方を出力し、前記第一レーザ駆動信号を出力する場合に、外部からの制御信号に応じて前記第一発振回路を制御することにより前記第一発振信号のパワーを変化させて直流駆動信号に対する前記第一発振信号の重畳量を制御し、前記第二レーザ駆動信号を出力する場合に、外部からの制御信号に応じて前記第二発振回路を制御することにより前記第二発振信号のパワーを変化させて直流駆動信号に対する前記第二発振信号の重畳量を制御する、ことを特徴とする。
【００１３】
また、上記目的を達成するために、本発明の好適な態様である光ディスク用光源装置は、前記レーザ駆動装置と、前記レーザ駆動装置から出力されるレーザ駆動信号によって発光するレーザダイオードと、を備え、前記制御信号に応じて、前記発振信号を重畳したレーザ駆動信号によるマルチモード、および、実質的に前記直流駆動信号のみのレーザ駆動信号によるシングルモード、の二つのモードを切り替えてレーザダイオードを発光させる、ことを特徴とする。
【００１４】
また、上記目的を達成するために、本発明の好適な態様である光ディスク用光源装置は、前記レーザ駆動装置と、前記レーザ駆動装置から出力される第一レーザ駆動信号により発光する第一レーザダイオードと、前記レーザ駆動装置から出力される第二レーザ駆動信号により発光する第二レーザダイオードと、を備え、前記制御信号に応じて、前記第一発振信号を重畳した第一レーザ駆動信号によるマルチモード、および、実質的に前記直流駆動信号のみの第一レーザ駆動信号によるシングルモード、の二つのモードを切り替えて第一レーザダイオードを発光させ、前記制御信号に応じて、前記第二発振信号を重畳した第二レーザ駆動信号によるマルチモード、および、実質的に前記直流駆動信号のみの第二レーザ駆動信号によるシングルモード、の二つのモードを切り替えて第二レーザダイオードを発光させる、ことを特徴とする。
【発明の効果】
【００１５】
本発明により、直流駆動信号用の電源と発振信号用の電源との共通化を図りつつ、直流駆動信号に対する発振信号の重畳量を制御することができる。
【発明を実施するための最良の形態】
【００１６】
以下、本発明の好適な実施形態を図面に基づいて説明する。
【００１７】
図１には、本発明の第一の実施形態が示されており、図１は、本発明に係る光ディスク用光源装置の全体構成図である。光ディスク用光源装置１００は、レーザ駆動ユニット１０、レーザダイオード２０および電源３０を含んで構成される。
【００１８】
レーザ駆動ユニット１０は、発振回路１２を含んでいる。なお、実際に発振動作を行うためには発振回路１２にインダクタＬ１などを接続する必要がある。レーザ駆動ユニット１０は、例えば、プレーナ技術等の半導体集積化技術を用いて半導体基板上に形成され、１チップ化（ＩＣ化）される。
【００１９】
発振回路１２は、従来から知られている回路構成を採用することができる。その動作原理は次のとおりである。
【００２０】
発振用トランジスタＴｒのベース端子は、発振用のコンデンサＣおよびインダクタＬ１の直列接続を介して接地される。また、発振用トランジスタＴｒのコレクタ端子には、電源３０から電圧ＶLDが印加される。電圧ＶLDはインダクタＬ２を介してコレクタ端子に印加される。インダクタＬ２およびインダクタＬ２の一端に接続されるコンデンサは、例えば、不要輻射を抑える機能を有する。なお、インダクタＬ２としてビーズや配線などを利用してもよい。
【００２１】
電源３０から電圧ＶLDが供給されると、発振用トランジスタＴｒの増幅作用により、インダクタＬ１およびコンデンサＣの組み合わせによってほぼ定まる基本周波数の発振信号が生成される。生成された発振信号は、発振用トランジスタＴｒのコレクタ端子から出力される。
【００２２】
レーザダイオード２０には、インダクタＬ２およびインダクタＬ３を介して、電源３０から直流駆動信号（直流電流または直流電圧）が供給される。そして、発振回路１２から出力される発振信号は、電源３０から供給される直流駆動信号に重畳され、インダクタＬ３を介してレーザダイオード２０に供給される。こうして、直流駆動信号に発振信号を重畳したレーザ駆動信号がレーザダイオード２０に供給され、レーザダイオード２０がマルチモードで動作する。なお、インダクタＬ３として配線を利用してもよい。
【００２３】
ちなみに、インダクタＬ３は、発振回路１２の負荷としての役割を担い、また、インダクタＬ３と発振回路１２の間には整合用のシャント容量Ｃｓが設けられている。
【００２４】
このように、本実施形態の光ディスク用光源装置１００は、レーザダイオード２０をマルチモードで動作させることができる。さらに、本実施形態の光ディスク用光源装置１００は、レーザダイオード２０をシングルモードで動作せることもできる。
【００２５】
発振用トランジスタＴｒのベース端子には、抵抗Ｒ１およびＲ２を介して制御信号Ｖctlが供給される。このため、制御信号Ｖctlの電位に応じて発振用トランジスタＴｒのベース端子の電位が設定され、それに応じてベース電流が変化する。ちなみに、抵抗Ｒ１とＲ２との接続点には抵抗Ｒ３の一端が接続され、抵抗Ｒ３の他端は接地されている。
【００２６】
制御信号Ｖctlは、図示しない制御手段から出力される。制御手段は、制御信号Ｖctlによって、発振用トランジスタＴｒのベース電流を制御して発振信号のパワーを変化させ、直流駆動信号に対する発振信号の重畳量を制御することができる。
【００２７】
例えば、発振回路１２から出力される発振信号のパワーが十分に得られるように、制御信号Ｖctlによって発振用トランジスタＴｒのベース電流を増大させることにより、レーザダイオード２０をマルチモードで動作させることができる。
【００２８】
また、例えば、発振回路１２から発振信号が出力されない程度にまで、制御信号Ｖctlによって発振用トランジスタＴｒのベース電流を減少させることにより、レーザダイオード２０をシングルモードで動作させることができる。
【００２９】
このように、本実施形態の光ディスク用光源装置１００は、マルチモードおよびシングルモードの両モードを切り替えて、レーザダイオード２０を駆動させることができる。しかも、発振回路１２に対する電力供給とレーザダイオード２０に対する直流駆動信号の供給を共通の電源３０で実現することができる。
【００３０】
なお、本発明において、発振回路１２の構成は図１に示したものに限定されず、レーザダイオード２０を擬似的なマルチモードで発光させるために適した周波数（例えば、２００ＭＨｚ〜７００ＭＨｚ程度）の発振信号を出力できるものであれば良い。また、発振回路で生成された発振信号を、バッファを介して直流駆動信号に重畳させる構成でもよい。また、制御信号Ｖctlの電位に応じて発振信号のパワーを段階的に変化させるようにしてもよい。
【００３１】
図２には、本発明の第二の実施形態が示されており、図２は、本発明に係る二波長レーザ用の光ディスク用光源装置の全体構成図である。二波長レーザ用の光ディスク用光源装置２００は、レーザ駆動ユニット１０´、レーザダイオード２０ａ、レーザダイオード２０ｂ、電源３０ａおよび電源３０ｂを含んで構成される。
【００３２】
レーザダイオード２０ａおよびレーザダイオード２０ｂとしては、互いに波長が異なるレーザダイオードが利用され、レーザ駆動ユニット１０´は、これら二波長のレーザダイオードを駆動する。本実施形態において、レーザダイオード２０ａ用の回路とレーザダイオード２０ｂ用の回路は同じ構成となっている。また、一方のレーザダイオード、例えばレーザダイオード２０ａ用の回路構成は、図１に示した光ディスク用光源装置１００の回路構成に相当する。
【００３３】
つまり、図２において、レーザダイオード２０ａ用の発振回路１２ａは、図１に示した発振回路１２と同じ回路構成になっている。図２において、発振用トランジスタＴｒａのベース端子は、発振用のコンデンサＣａおよびインダクタＬ１ａの直列接続を介して接地される。また、発振用トランジスタＴｒａのコレクタ端子には、電源３０ａから電圧が印加される。電圧はインダクタＬ４ａおよびＬ２ａを介してコレクタ端子に印加される。電源３０ａから電圧Ｖが供給されると、発振用トランジスタＴｒａの増幅作用により、インダクタＬ１ａおよびコンデンサＣａの組み合わせによって定まる基本周波数の発振信号が生成される。生成された発振信号は、発振用トランジスタＴｒａのコレクタ端子から出力される。なお、インダクタＬ４ａは省略することも可能であるが、インダクタＬ４ａを挿入しておくことにより、不要輻射をさらに抑圧することができる。
【００３４】
レーザダイオード２０ａには、インダクタＬ４ａ、インダクタＬ２ａおよびインダクタＬ３ａを介して、電源３０ａから直流駆動信号（直流電流または直流電圧）が供給される。そして、発振回路１２ａから出力される発振信号は、電源３０ａから供給される直流駆動信号に重畳され、インダクタＬ３ａを介してレーザダイオード２０ａに供給される。こうして、直流駆動信号に発振信号を重畳したレーザ駆動信号がレーザダイオード２０ａに供給され、レーザダイオード２０ａがマルチモードで動作する。
【００３５】
また、発振用トランジスタＴｒａのベース端子には、抵抗Ｒ１ａおよびＲ２ａを介して制御信号Ｖctlが供給される。このため、制御信号Ｖctlの電位に応じて発振用トランジスタＴｒａのベース端子の電位が設定され、それに応じてベース電流が変化する。これにより、発振信号のパワーを変化させ、直流駆動信号に対する発振信号の重畳量を制御することができる。
【００３６】
同様に、電源３０ｂは、レーザダイオード２０ｂに直流駆動信号を供給し、発振回路１２ｂは、この直流駆動信号に発振信号を重畳させる。発振信号の重畳量は、制御信号Ｖctlの電位に応じて設定される。
【００３７】
上記構成の光ディスク用光源装置２００は二波長レーザに適している。例えば、レーザダイオード２０ａのみを利用する場合、電源３０ａのみを作動させて電源３０ｂを非作動とすることにより、レーザダイオード２０ａのみを発光させることができる。さらに、制御信号Ｖctlによって、マルチモードおよびシングルモードの両モードを切り替えて、レーザダイオード２０ａを駆動させることができる。
【００３８】
同様に、電源３０ｂのみを作動させて電源３０ａを非作動とすることにより、レーザダイオード２０ｂのみを発光させることができる。さらに、制御信号Ｖctlによって、マルチモードおよびシングルモードの両モードを切り替えて、レーザダイオード２０ｂを駆動させることができる。
【００３９】
本実施形態の二波長レーザ用の光ディスク用光源装置２００は、例えば、互いに異なる二種類（例えば、互いに異なる二つの規格）の光ディスクに対応した光ディスクプレーヤなどに利用される。
【００４０】
以上、本発明の好適な二つの実施形態を説明したが、上述した実施形態は、あらゆる点で単なる例示にすぎず、本発明の範囲を限定するものではない。
【図面の簡単な説明】
【００４１】
【図１】本発明に係る光ディスク用光源装置の全体構成図である。
【図２】本発明に係る二波長レーザ用の光ディスク用光源装置の全体構成図である。
【符号の説明】
【００４２】
１０，１０´  レーザ駆動ユニット、１００，２００  光ディスク用光源装置。
【図１】
2006139876.tif 000003
【図２】
2006139876.tif 000004